(57)【要約】本発明は、リングジェネレータのステータのための支持構造を有する風力発電施設に関する。前記支持構造は幾つかの支持アームを備えている。本発明の目的はこのような風力発電施設からのノイズの放射を減少させることである。風力発電施設は、ロータおよびステータを有し、ステータのワインディングのための受承要素を有する、ジェネレータ、好ましくは、リングジェネレータを備えている。ステータは幾つかの支持アームを有する支持構造によって保持されており、支持アーム（１２）の個数を奇数とし、かつ／または、支持アームは少なくとも部分的に不規則な間隔で配されている。
2004522053.tif 000002
【特許請求の範囲】
【請求項１】
ロータおよびステータを有し、ステータのワインディ
ングのための取り付け手段を有する、ジェネレータ、好ましくは、リングジェネレータを備えた風力発電施設であって、
前記ステータが、複数の支持アームを有する支持構造に保持されること、および、
奇数個の支持アーム（１２）が配され、かつ／または、前記支持アームが少なくとも部分的に不規則な間隔で配されていることを特徴とする、風力発電施設。
【請求項２】
前記ステータのための前記支持構造が７個の支持アームを有することを特徴とする、
請求項１に記載の風力発電施設。
【請求項３】
ロータおよびステータを有し、ステータのワインディングのための取り付け手段を有する、ジェネレータ、好ましくは、リングジェネレータを備えた風力発電施設であって、
前記ステータが、支持構造に保持されること、および、
前記支持構造が、通常の動作の範囲においては、実質的に、一切の音波を放射する固有モード（固有形式）を生じさせないように、もしくは、ほんの僅かな音波を放射する固有モード（固有形式）しか生じさせないようにデザインされていることを特徴とする、風力発電施設。
【発明の詳細な説明】
【技術分野】
【０００１】
本発明は、リングジェネレータのステータのための、複数の支持アームを備えた支持構造を有する風力発電施設に関する。
【背景技術】
【０００２】
そのような風力発電施設は古くから周知であり、例えば、エネルコン(Enercon)から、型番Ｅ−５０、Ｅ−５８、または、Ｅ−５６として製造販売されている。
【０００３】
そのような風力発電施設は通常、少なくとも風力発電施設に近接した周囲環境において騒がしいと感じられる音波の放射を伴う。
【発明の開示】
【発明が解決しようとする課題】
【０００４】
よって、本発明の目的は、クレームの前提部分(dem Oberbegriff des Anspruches)に述べているような風力発電施設から発せられる音波の放射を低減させることである。
【課題を解決するための手段】
【０００５】
本目的はクレーム１に記載の特徴を有する風力発電施設によって達成される。有益な発展は従属クレームに記載されている。
【発明の効果】
【０００６】
リングジェネレータの周囲方向に、所与の均一な周波数を発生する偶数個の支持アームを備えた支持構造の場合、騒がしいと感じられる音波が感知されるが、このような音波の放出は、奇数個の支持アームを備え、かつ／または、不規則な間隔で支持アームを備えた場合には、完全に抑制、または、低減される。
【発明を実施するための最良の形態】
【０００７】
本発明を、図面を参照して詳細に説明する。
【０００８】
図１は、６つの半径方向に延びる支持アーム１２を有する支持構造を示しており、その外端部は互いに等しい間隔で配されている。リングジェネレータのステータ１０はこれら外端部に固定される。本図においては、ステータ１０を破線で示す。
【０００９】
このような支持構造のデザイン構成により、騒がしい振動２０が支持アーム１２の間の領域で発生しうる。支持アーム１２間の均一な間隔、および、それぞれの場合においてそれと一致した振動２０の波長が「ドラム効果」と呼ばれる効果を生じさせる。しかしながら、音波の放射の点でより重大なことは、所与の振動が励起される時に発生しうる固有モード(Eigenmoden)（固有形式）(Eigenformen)の形成である。これら固有モードは通例、対象物全体の幾何形状に依存、または、対象物全体の幾何形状により決定される。
【００１０】
図２は周知の支持構造における状況を示す代替図である。本図においては、振動２０を、支持アーム１２を備えた支持構造の周囲に渡って連結させて図示している。破線により半周期分だけ変位した振動を図示し、これを、参照数字２０ａを用いて特定している。
【００１１】
支持構造の周囲のあらゆる点（、または、あらゆるその位置における空気分子）について考慮すると、振動２０、２０ａのそれぞれの位相により、その位置は矢印３０で示す線に沿って変化する。よって、これらの点に関しては、鼓膜における場合のように双方向性の振動が生じている。
【００１２】
本図は、構成体の周囲にて完全な３周期の振動を示しており、各周期における３つの同位相の点は常に同一の変位と方向性をもって振動している。これらの振動は、ジェネレータのステータにおいて、規則的な「往復運動(Pumpbewegung)」をもたらし、これが音として感知される。
【００１３】
図３は本発明による支持構造を簡略に示す図である。本構造は、奇数個（本図においては７個）の支持アーム１２を有する。当然のことながら、本発明の目的は５個の支持アームでも達成されるが、支持構造に要求される強度を理由に少なくとも７個の支持アーム１２を使用することが望まれる。本図においても、リングジェネレータのステータ１０は破線によって示される。
【００１４】
図２と同様、図４は、支持構造の周囲に渡って連結されている振動を表す図である。本図においても再び、振動事象のシーケンスが参照数字２０を用いて特定されており、また、参照数字２０ａは、参照数字２０の特定する振動に対して半周期分だけ変位した振動事象を特定している。
【００１５】
参照数字２０の特定する振動は、部分２１、２２、および、２３において、完全な３周期の振動を示し、また、部分２４において、半周期のみの振動を示している。
【００１６】
この振動パターンのおかげで、２つの正方向の半分（半周期）の波が互いに直接的に隣接、より具体的には部分２１の前半部と部分２４において隣接するので、少なくともこの位置においてドラム効果は生じず、よって、全体のドラム効果も少なくとも低減される。
【００１７】
例えばジェネレータの支持構造のような、機械的構造が望まれざる音波の放出を招来するならば、このことは、一般には、振動運動により、支持構造全体がいわゆる共鳴、または、「固有モード」（固有形式）を形成している事実によって説明可能である。これら「固有モード」は先ず、対象物全体の構造に依存しており、加えて、様々な固有モードに関し、特定の周波数依存性が存在する。
【００１８】
現状の支持アームに関する本発明に係るデザイン構成により、本構成要素の周波数特性は、特に、音波の放射を伴う固有モード（固有形式）を生じうる周波数を可能な限り回避したものである。
【図面の簡単な説明】
【００１９】
【図１】従来技術に関する簡略図である。
【図２】従来技術の代替的構成に関する簡略図である。
【図３】本発明による支持構造の実施形態に関する図である。
【図４】図３に示す本発明による実施形態の様相に関する代替図である。
【符号の説明】
【００２０】
１０  ・・・  ステータ
１２  ・・・  支持アーム
２０  ・・・  振動
２０ａ・・・  振動２０より半周期だけ変位した振動
【国際公開パンフレット】
2004522053.tif 000003
2004522053.tif 000004
2004522053.tif 000005
2004522053.tif 000006
2004522053.tif 000007
2004522053.tif 000008
2004522053.tif 000009
2004522053.tif 000010
2004522053.tif 000011
2004522053.tif 000012
2004522053.tif 000013
【国際調査報告】
2004522053.tif 000014
2004522053.tif 000015
2004522053.tif 000016
2004522053.tif 000017
2004522053.tif 000018
2004522053.tif 000019